(57)【特許請求の範囲】
【請求項１】
薬剤充填後のシリンダー内にピストンを挿入してなる薬剤充填済み注射器であって、シリンダー内にピストンを挿入した後に密封すべき空気抜き孔をピストンに設け、ピストン挿入後に空気抜き孔を密閉してなる薬剤充填済み注射器において、取っ手部側が外気に開放した円筒状ピストンの天板部にパイプ状に取っ手部側の内筒部内に突出した空気抜き孔を設け、該空気抜き孔を熱溶着により密閉してなる薬剤充填済み注射器。
【請求項２】
請求項１に記載の薬剤充填済み注射器において、円筒状ピストンの中空内周壁が内奥の天板部側から取っ手部側にかけて内径を大きく構成してなる薬剤充填済み注射器。
【請求項３】
請求項１又は２に記載の薬剤充填済み注射器において、ピストンの外周壁の先端部に天板部の外周に位置して凹溝を介して弾性変形可能に摺動環部を設けると共に、パイプ状の空気抜き孔をピストンの天板部の中央に設けてなる薬剤充填済み注射器。
【請求項４】
請求項１、２又は３に記載の薬剤充填済み注射器において、パイプ状の空気抜き孔を取っ手部方向に延長して設けてなる薬剤充填済み注射器。
【発明の詳細な説明】
【０００１】
【発明の産業上の利用分野】
本発明は、医療用、麻酔銃用、動物治療用等における薬剤充填済み注射器に関する。
【０００２】
【従来の技術】
薬剤充填済み注射器は、医療事故を防止し、業務を効率化することから、益々需要が増大しているところであるが、注射器シリンダー内に薬剤を充填してからピストンを挿入すると、圧縮された空気によりピストンは押し戻され、挿入できないため、従来は、シリンダー内に空気抜きを兼ねた凹凸部を設け、ピストン挿入時の圧縮された空気をその凹凸部で抜くと共に、挿入位置でピストンをシリンダーに固定するストッパーの役割を持たせて、薬剤充填済み注射器を構成していた。
【０００３】
【発明が解決しようとする課題】
しかし、外気温度の変化により、薬剤内に混入した空気、若しくは、注射器内に残留した空気が膨張した際、薬剤の粘度、表面張力、親和性によっては、ピストンが固定されていると、膨張内圧を吸収しきれずに、密封しきれずに、液漏れが発生する課題があった。
この改善策としては、空気膨張してもシール性が損なわれない強固な構造の注射器や、シリンダー内に空気を入れない真空充填方法が考えられる。
しかし、強固な容器の場合、プラスチック製などでは強度的物理的に問題があり、コスト面に困難があり、真空充填にはその設備に多大な費用を要する課題があった。
【０００４】
【課題を解決するための手段】
そこで、本発明は、薬剤充填後のシリンダー内にピストンを挿入してなる薬剤充填済み注射器であって、シリンダー内にピストンを挿入した後に密封すべき空気抜き孔をピストンに設け、ピストン挿入後に空気抜き孔を密閉してなる薬剤充填済み注射器において、取っ手部側が外気に開放した円筒状ピストンの天板部にパイプ状に取っ手部側の内筒部内に突出した空気抜き孔を設け、該空気抜き孔を熱溶着により密閉してなる薬剤充填済み注射器を提供するものである。
【０００５】
また、本発明は、請求項１に記載の薬剤充填済み注射器において、円筒状ピストンの中空内周壁が内奥の天板部側から取っ手部側にかけて内径を大きく構成してなる薬剤充填済み注射器を提供するものである。
【０００６】
また、本発明は、請求項１又は２に記載の薬剤充填済み注射器において、ピストンの外周壁の先端部に天板部の外周に位置して凹溝を介して弾性変形可能に摺動環部を設けると共に、パイプ状の空気抜き孔をピストンの天板部の中央に設けてなる薬剤充填済み注射器を提供するものである。
【０００７】
また、本発明は、請求項１、２又は３に記載の薬剤充填済み注射器において、パイプ状の空気抜き孔を取っ手部方向に延長して設けてなる薬剤充填済み注射器を提供するものである。
【０００８】
【発明の実施の形態】
以下図示する実施例により、本発明の実施の形態を詳細に説明する。
１０はプラスチック製の注射器で、ピストン１とシリンダー２とからなる。ピストン１は中空状からなり、取っ手部３側は外気に開放している。中空内周壁４は内奥の天板部５側から取っ手部３側にかけて内径が徐々に大きく構成してあり、後述する天板部５側の空気抜き孔９を密封する手段の関係上、取っ手部側３の内径が大きいほど好ましい。
なお、この中空内壁４の内径の傾斜は成形時の中子の抜き勾配の関係でも必要である。
また、注射器１０のピストン１及び、又はシリンダー２は、プラスチック製に限らず、ガラス製又は金属製であっても良い。
【０００９】
ピストン１の外周壁６は、内周壁４と同様に天板部５側より取っ手部３側の外径が徐々に大きく構成されており、成形時の外型の抜き勾配の関係でも、天板部５側が取っ手部３側よりも外径が大きい方が好ましい。ピストン１の外周壁６の先端には、天板部５の外周に位置して、凹溝８を介して弾性変形可能に摺動環部７が設けてある。
【００１０】
天板部５には、中央に空気抜き孔９を有するパイプ部１１が中空部１８内方に大きく突出して設けてある。空気抜き孔９は通常はパイプ状に天板部５の中央に１個設ければ良いが、密封手段等との関係から、中央から偏って設けることも可能である。また、パイプ状の場合には、その長さを取っ手部３方向に延長して密封を容易にすることも可能である。１２は空気抜き孔９のシリンダー２内への開口突起部である。
空気抜き孔９の密封手段としては、熱溶着、接着剤による密封、シール部材、キャップ部材の固着等の種々の手段が採用できる。
【００１１】
次に、シリンダー２は、先端部に突出して充填薬剤の吐出部１３が設けてあり、キャップ１４により密封されている。シリンダー２の内周壁部１５は、ピストン１の挿入上、吐出部１３側より取っ手部１６側の外径が大きく構成されているのが好ましく、成形時の中子の抜き勾配の関係でも、吐出部１３側より取っ手部１６側の外径が大きい方が好ましい。
【００１２】
上記の構成において、図１に記載のように、シリンダー２内に充填液を距離Ｄまで充填し、シリンダー２の開口部１７からピストン１を挿入すると、シリンダー２内の空気は、ピストン１の天板部５に設けた空気抜き孔９から中空部１８を経て外気に放出され、ピストン１はシリンダー２内の所定の位置に円滑に挿入されることとなる。ここで、空気抜き孔９を熱溶着その他の適宜な手段により密封すると、薬剤充填済み注射器が完成することとなる。
この注射器１０内の薬剤充填部において、外気温の変化により液体部Ａに対して気体部Ｂが膨張又は収縮して体積変化が生じた場合、ピストン１はシリンダー２内の内圧の変動に対応して摺動移動し、シール性は維持され、薬剤が外部に漏出する恐れはない。
【００１３】
【発明の効果】
以上の通り、本発明に係る薬剤充填済み注射器によれば、薬剤充填後のシリンダー内にピストンを挿入してなる薬剤充填済み注射器であって、シリンダー内にピストンを挿入した後に密封すべき空気抜き孔をピストンに設け、ピストン挿入後に空気抜き孔を密閉してなる薬剤充填済み注射器において、取っ手部側が外気に開放した円筒状ピストンの天板部にパイプ状に取っ手部側の内筒部内に突出した空気抜き孔を設け、該空気抜き孔を熱溶着により密閉してなる構成を有することにより、空気抜き孔がシリンダ内周壁とピストン外周壁に接触しないからシリンダーとピストンの円滑な摺動接触を維持することができ、薬剤充填後のシリンダー内にピストンを挿入しても空気抜き孔からシリンダー内の空気は抜け、ピストンの挿入は円滑に行われ、挿入後に空気抜き孔を密閉して薬剤充填済み注射器が容易に完成する効果があると共に、完成後の保管時等に外気温が変動してシリンダー内の内圧に変動が生じてもピストンは体積変化に追従してシール性を維持する状態でシリンダー内を摺動するから、液漏れ等を生じない効果がある一方、空気抜きと空気抜き孔の閉鎖作業を取っ手部側が外気に開放した円筒状ピストン内のパイプ状の空気抜き孔によって容易に行うことができる効果がある。
【００１４】
また、本発明は、請求項１に記載の薬剤充填済み注射器において、円筒状ピストンの中空内周壁が内奥の天板部側から取っ手部側にかけて内径を大きく構成してなる構成を有することにより、外気に開放した取っ手部側から円筒状ピストン内のパイプ状の空気抜き孔の密封を容易に行うことができる効果がある。
【００１５】
また、本発明は、請求項１又は２に記載の薬剤充填済み注射器において、ピストンの外周壁の先端部に天板部の外周に位置して凹溝を介して弾性変形可能に摺動環部を設けると共に、パイプ状の空気抜き孔をピストンの天板部の中央に設けてなる構成を有することにより、摺動環部とパイプ状の空気抜き孔の両者を天板部に設けることができる効果がある。
【００１６】
また、本発明は、請求項１、２又は３に記載の薬剤充填済み注射器において、パイプ状の空気抜き孔を取っ手部方向に延長して設けてなる構成を有することにより、空気抜き孔の密封を容易にすることができる効果がある。
【図面の簡単な説明】
【図１】  本発明に係る薬剤充填済み注射器の一実施例の要部を縦断して示す概略説明図。
【図２】  その実施例のピストンの断面図。
【図３】  その実施例のピストンの平面図。
【図４】  その実施例のピストンの底面図。
【符号の説明】
１        ピストン
２        シリンダー
３        取っ手部
４        中空内壁
５        天板部
６        外周壁
７        摺動環部
８        凹溝
９        空気抜き孔
１０      注射器
１１      パイプ部
１２      開口突起部
１３      吐出部
１４      キャップ
１５      内周壁部
１６      取っ手部
１７      開口部
１８      中空部
Ａ        液体部
Ｂ        気体部
【図１】
0004065628.tif 000002
【図２】
0004065628.tif 000003
【図３】
0004065628.tif 000004
【図４】
0004065628.tif 000005